(57)【要約】【課題】表示ユニットにストレスを与えることなく組み立て作業性を向上させる。【解決手段】表示ユニット３０の左端部３０ａには係合片３１が設けられ、右端部３０ｂからは、位置決め穴３２ａが形成された延設片３２が設けられる。シャーシ４０の左端部４０ａの折り曲げ部４３には、係合穴４１が形成され、右端部４０ｂには位置決め凸部４２が形成される。表示ユニット３０をシャーシ４０に組み付ける際、係合片３１と係合穴４１との係合により、表示ユニット３０の左端部３０ａがシャーシ４０から浮き上がることが防止される。また、表示ユニット３０は、位置決め凸部４２と位置決め穴３２ａとの係合により、液晶パネル６に平行な平面方向における位置決めがなされる。【選択図】図３
2012189953.tif 000002
【特許請求の範囲】
【請求項１】
画像を表示する表示画面を外側に有する表示ユニットと、前記表示ユニットを前記表示画面の反対側から保持する保持部材とを有する電子機器であって、
前記表示ユニットの長手方向における一方の端部に第１の係合部が設けられると共に、他方の端部に第２の係合部が設けられ、
前記保持部材には、前記第１の係合部と係合することで前記表示ユニットの前記一方の端部が浮き上がらないようにする第１の被係合部と、前記第２の係合部と係合することで前記表示画面に平行な平面方向における前記表示ユニットの位置決めを行う第２の被係合部とが設けられることを特徴とする電子機器。
【請求項２】
前記表示ユニットを前記保持部材に保持させる際に、前記第１の係合部と前記第１の被係合部とは、前記保持部材に対して相対的に前記表示ユニットを前記長手方向に変位させることで係合が可能であり、前記第２の係合部と前記第２の被係合部とは、前記保持部材に対して相対的に前記表示ユニットの前記他方の端部を前記表示画面に略垂直な方向に変位させることで係合が可能であることを特徴とする請求項１記載の電子機器。
【請求項３】
前記表示ユニットの前記他方の端部からフレキシブルプリント基板が引き出されていることを特徴とする請求項１または２記載の電子機器。
【請求項４】
前記第２の係合部と前記第２の被係合部とは、係合状態において前記表示画面に垂直な方向にオーバーラップしており、さらに、係合状態にある前記第２の係合部及び前記第２の被係合部に対して外側に位置し、前記第２の被係合部に対する前記第２の係合部の可動範囲を規制して前記第２の係合部と前記第２の被係合部との係合解除を阻止する阻止手段を有することを特徴とする請求項１〜３のいずれか１項に記載の電子機器。
【請求項５】
前記表示ユニット及び前記保持部材のうち前記表示画面に垂直な方向において前記阻止手段に近い方と前記阻止手段との間で形成されるクリアランスが、前記第２の係合部と前記第２の被係合部とのオーバーラップ量よりも小さいことを特徴とする請求項４記載の電子機器。
【請求項６】
前記表示ユニットの少なくとも一部分を外側から覆う外装を有し、前記外装と前記表示ユニットとの間に弾性材が介在し、前記外装によって前記弾性材を介して前記表示ユニットが前記保持部材に押圧されることを特徴とする請求項１〜５のいずれか１項に記載の電子機器。
【請求項７】
前記表示ユニットの前記他方の端部を外側から覆う補強部材を有することを特徴とする請求項１〜６のいずれか１項に記載の電子機器。
【発明の詳細な説明】
【技術分野】
【０００１】
本発明は、表示ユニットを備える電子機器に関する。
【背景技術】
【０００２】
従来、液晶や有機ＥＬ等の画像表示部を有した表示ユニットを備えるデジタルカメラやビデオカメラ等の電子機器が知られている。一般に、表示ユニットを機器本体内で保持する場合、ビスを用いて例えば保持部材としてのシャーシに表示ユニットを固定する。しかし、液晶は歪みに対して敏感な表示装置であり、シャーシに変形があると、ビスを介して液晶が歪み、その結果、輝度ムラ等の表示不良の原因となることがある。
【０００３】
そこで、下記特許文献１では、ゴムブッシュを用いて表示ユニットをフローティング支持することで、表示ユニットが固定される側のフレームの歪みを吸収し、表示ユニットにかかるストレスを抑制して、表示不良を回避している。
【先行技術文献】
【特許文献】
【０００４】
【特許文献１】特開２００２−３６５６１３号公報
【発明の概要】
【発明が解決しようとする課題】
【０００５】
しかしながら、上記特許文献１では、表示ユニットの外周部にリング状のゴムブッシュを装着するといった複雑な作業を必要とするため、組立の作業性がよくない。また、カメラ本体に対する位置決めを、柔らかい緩衝部材で行うので、位置決め精度の点でも改善の余地がある。
【０００６】
本発明は上記従来技術の問題を解決するためになされたものであり、その目的は、表示ユニットにストレスを与えることなく組み立て作業性を向上させることにある。
【課題を解決するための手段】
【０００７】
上記目的を達成するために本発明は、画像を表示する表示画面を外側に有する表示ユニットと、前記表示ユニットを前記表示画面の反対側から保持する保持部材とを有する電子機器であって、前記表示ユニットの長手方向における一方の端部に第１の係合部が設けられると共に、他方の端部に第２の係合部が設けられ、前記保持部材には、前記第１の係合部と係合することで前記表示ユニットの前記一方の端部が浮き上がらないようにする第１の被係合部と、前記第２の係合部と係合することで前記表示画面に平行な平面方向における前記表示ユニットの位置決めを行う第２の被係合部とが設けられることを特徴とする。
【発明の効果】
【０００８】
本発明によれば、表示ユニットにストレスを与えることなく組み立て作業性を向上させることができる。
【図面の簡単な説明】
【０００９】
【図１】本発明の一実施の形態に係る表示ユニットが搭載される電子機器の完成状態、外装を外した状態の斜視図である。
【図２】表示ユニットの左端部の断面図、デジタルカメラの右端部のうちシャーシ及びそれより背面側部分の断面図である。
【図３】シャーシに表示ユニットを取り付ける態様を示す斜視図である。
【図４】変形例のデジタルカメラの右端部の一部の断面図である。
【発明を実施するための形態】
【００１０】
以下、本発明の実施の形態を図面を参照して説明する。
【００１１】
図１（ａ）、（ｂ）は、本発明の一実施の形態に係る表示ユニットが搭載される電子機器の斜視図である。この電子機器は、一例としてデジタルカメラとして構成される。図１（ａ）は完成状態、図１（ｂ）は外装を外した状態を示している。
【００１２】
図１（ａ）に示すように、このデジタルカメラは、外装として前カバー１２及び後カバー２０を備える。また、組み立て完了状態において外観に現れる部分として、レンズ鏡筒１、表示ユニット３０、各種操作ボタン３、グリップ部４及び蓋５等を備える。このカメラは概ね直方体型に構成される。以降、前後方向については、表示ユニット３０が配設される側を背面側とする。従って、表示ユニット３０は、画像を表示する表示画面を外側である背面側に有する。また、上下、左右方向については、使用者から見た方向で呼称する。従って、蓋５が配設される側を下側とし、各種操作ボタン３が配設される側を右側とする。
【００１３】
カメラの前側に配設されるレンズ鏡筒１のレンズで捕らえた被写体像が、図示しないＣＣＤ等の撮像素子に取り込まれて光電変換される。表示ユニット３０には、撮影画像等の様々な画像や文字等の情報が表示される。表示ユニット３０の右方に配設される各種操作ボタン３は、撮影時にはストロボ発光モード、ＡＦモード、ドライブモード等の切り替えを可能とする。各種操作ボタン３はさらに、画像再生時には、表示ユニット３０に表示する撮影画像の切り替えや画像データの削除等といった操作を可能とする。
【００１４】
グリップ部４は、カメラの把持時に使用者の主に親指が置かれる場所であり、そのため高い剛性が要求される。蓋５は、開閉可能に構成され、開閉することで、電池や、撮影した画像を保存するための記録メディア（いずれも図示せず）が着脱可能となる。
【００１５】
図１（ｂ）に示すように、カメラ内部にはシャーシ（保持部材）４０が配設される。シャーシ４０は、金属で構成される基材であり、外装（前カバー１２）に固定される。シャーシ４０には、表示ユニット３０のほか、レンズ鏡筒１、各種操作ボタン３、三脚取り付けネジ部１４、電池室１５、電子基板１６が取り付けられる。
【００１６】
図２（ａ）は、表示ユニット３０の左端部の断面図である。図２（ｂ）は、デジタルカメラの右端部のうちシャーシ４０及びそれより背面側部分の断面図である。
【００１７】
図２（ａ）に示すように、表示ユニット３０は、表示画面となる液晶パネル６、バックライト７、及び樹脂フレーム８を、外側（カメラ背面側）から上側フレーム９、内側（カメラ前側）から下側フレーム１０で挟み込んだ構成となっている。上側フレーム９と下側フレーム１０とには不図示の爪形状部があり、スナップフィットにより両者が係合固定されている。樹脂フレーム８が下側フレーム１０に保持される。液晶パネル６は、樹脂フレーム８に背面側から保持されると共に、上側フレーム９により外側から押さえられている。
【００１８】
図３は、シャーシ４０に表示ユニット３０を取り付ける態様を示す斜視図である。表示ユニット３０及びシャーシ４０は共に、カメラの背面視において左右方向を長手方向とする略長方形を呈する。
【００１９】
シャーシ４０の左端部４０ａからは、カメラの背面方向に垂直に立ち上がった折り曲げ部４３が形成される（図２（ａ）も参照）。折り曲げ部４３には、表示ユニット３０を取り付ける取り付け面４０ｃに連接して、係合穴（第１の被係合部）４１が、貫通して２箇所に形成されている。また、シャーシ４０の右端部４０ｂにおいて、取り付け面４０ｃ上には、カメラの背面方向に垂直に突設されたハーフパンチ状の位置決め凸部（第２の被係合部）４２が２箇所に形成されている（図２（ｂ）も参照）。位置決め凸部４２の形状は限定されないが、例えば断面円形である。
【００２０】
表示ユニット３０の一方の端部（一方の短辺側）である左端部３０ａからは、係合穴４１に係合するための係合片（第１の係合部）３１が、係合穴４１に対応して２箇所に設けられる。係合片３１は、本実施の形態では上側フレーム９に一体に左方に向かって延設形成されるが（図２（ａ）参照）、表示ユニット３０と一体的であれば、他の構成要素に設けてもよい。
【００２１】
図２（ｂ）、図３に示すように、表示ユニット３０の他方の端部（他方の短辺側）である右端部３０ｂからは、延設片３２が、位置決め凸部４２に対応して２箇所に設けられる。延設片３２にはそれぞれ、位置決め凸部４２に係合するための位置決め穴（第２の係合部）３２ａが貫通して形成されている。延設片３２は、本実施の形態では下側フレーム１０に一体に右方に向かって延設形成されるが（図２（ｂ）参照）、表示ユニット３０と一体的であれば、他の構成要素に設けてもよい。また、表示ユニット３０の右端部３０ｂからは、ＦＰＣ（フレキシブルプリント基板）１８が引き出されている。
【００２２】
表示ユニット３０をシャーシ４０に対して組み付けるには、作業者は、図３に示すように作業する。まず、表示ユニット３０の左端部３０ａを矢印Ｆ１方向（表示ユニット３０の長手方向で且つシャーシ４０に近づく方向）に変位させ、シャーシ４０の係合穴４１に係合片３１を差し込む。ここで、係合片３１は、係合穴４１に対して遊びをもって嵌合するように形成されており、係合片３１は、カメラの前後方向及び上下方向において係合穴４１にクリアランスを持って保持される。これにより、表示ユニット３０にストレスが加わることが回避されている。
【００２３】
次に、表示ユニット３０の右端部３０ｂを矢印Ｆ２方向（係合穴４１付近を中心に回動する方向）に倒しこみながら、シャーシ４０の位置決め凸部４２に位置決め穴３２ａを嵌合すると共に、取り付け面４０ｃ上に表示ユニット３０を載置する。なお、表示ユニット３０の組み付けの際には、シャーシ４０に対して相対的に変位させればよい。その後、ＦＰＣ１８を図示しない基板のコネクタに接続する。
【００２４】
位置決め凸部４２と位置決め穴３２ａとは、僅かな間隙を持って嵌合される。これらは互いに２箇所で嵌合されるので、２箇所間の位置ずれに起因するストレスが表示ユニット３０にかからない程度に、遊嵌状態となるように寸法が設定されている。表示ユニット３０は、位置決め凸部４２と位置決め穴３２ａとの係合により、液晶パネル６（図２（ｂ））に平行な平面方向（カメラの前後方向）における位置決めがなされる。ここで、位置決め穴３２ａは下側フレーム１０に形成されているが、液晶パネル６は、下側フレーム１０に保持された樹脂フレーム８で保持されている。よって、液晶パネル６は、高い精度でシャーシ４０に対して位置決めがなされる。
【００２５】
また、係合片３１と係合穴４１との係合により、表示ユニット３０の左端部３０ａがシャーシ４０から浮き上がることが防止される。また、カメラの組み立て完了前に、仮に上側フレーム９と下側フレーム１０とのスナップフィットが外れたとする。その場合でも、液晶パネル６は上側フレーム９により押さえられ、且つ係合片３１が係合穴４１に入り込んでいるため、液晶パネル６が外れてしまうことが回避される。
【００２６】
また、位置決め穴３２ａは表示ユニット３０の右端部３０ｂであってＦＰＣ１８がある側に形成されているので、係合片３１を係合穴４１に差し込む際にＦＰＣ１８が邪魔にならない。
【００２７】
取り付け面４０ｃに表示ユニット３０が当接することで、液晶パネル６の反対側（裏側）から表示ユニット３０がシャーシ４０に保持される。それにより、液晶パネル６に垂直な方向（カメラの前後方向）における表示ユニット３０のシャーシ４０に対する一応の位置決めもなされる。ただし、がたつきのない位置規制は、後述する弾性材２２（図２（ｂ））によってなされる。
【００２８】
表示ユニット３０が取り付けられた後、補強部材として補強板１７（図１（ｂ）、図２（ｂ））が取り付けられる。補強板１７は、ステンレス等の剛性の高い金属で形成され、上下の端部がシャーシ４０に対してビス止め固定され、主に右端部３０ｂを覆うようにブリッジ状に配設される。
【００２９】
図２（ｂ）に示すように、左右及び前後方向に沿う補強板１７の断面はＬ字状である。表示ユニット３０を外側から覆っている補強板１７の部分と表示ユニット３０との間には、液晶パネル６に垂直な方向において十分なクリアランスＣＬ２が保たれる。これにより、補強板１７はカメラの使用者がグリップ部４に指を置いて把持したときに、外装を通じて外力を受けて多少変形しても表示ユニット３０に接することなく、表示ユニット３０が保護される。
【００３０】
ところで、図２（ｂ）に示すように、シャーシ４０の右端部４０ｂの位置決め凸部４２は、表示ユニット３０の延設片３２の位置決め穴３２ａを貫通してカメラの背面側に突出している。一方、補強板１７のうち、液晶パネル６に垂直な方向（カメラの前後方向）に延在する部分の対向面１７ａが、位置決め凸部４２乃至位置決め穴３２ａに最も近接して対向している。そして、対向面１７ａと位置決め凸部４２との間には、クリアランスＣＬ１が形成されるようになっている。
【００３１】
対向面１７ａは、液晶パネル６に垂直な方向における、位置決め凸部４２に対する位置決め穴３２ａの可動範囲を規制する。ここで、クリアランスＣＬ１は、下側フレーム１０（延設片３２）の板厚、つまり、位置決め穴３２ａの深さよりも小さい。位置決め穴３２ａの深さは、位置決め凸部４２とのオーバーラップ量でもある。組立作業中等に表示ユニット３０の右端部３０ｂが浮き上がったとしても、延設片３２が対向面１７ａに当接するので、位置決め穴３２ａは位置決め凸部４２から抜け切ることができない。従って、対向面１７ａが、位置決め凸部４２と位置決め穴３２ａとの係合解除を阻止する阻止手段としての役割を果たす。
【００３２】
このように、液晶パネル６に略垂直な方向において表示ユニット３０が位置決めされると共に、左端部３０ａと右端部３０ｂとが、適当なクリアランスを持ってシャーシ４０に保持される。
【００３３】
また、補強板１７は、表示ユニット３０を保護する機能と、位置決め凸部４２と位置決め穴３２ａとの係合を維持する機能とを有するので、単一の部材が機能を兼ねて構成が簡単となっている。ただし、これら２つの機能を果たす部材を別部材として設けてもよい。
【００３４】
補強板１７を取り付けた後は、カメラの前後外側から、外装として前カバー１２及び後カバー２０を取り付ける。後カバー２０については、図２（ｂ）に示すように、強化ガラスで構成される液晶保護窓２１、低反発性のクッション材である発泡体でなる弾性材２２を有する。弾性材２２は、弾性があって緩衝機能を有すれば良く、発泡体に限られない。液晶保護窓２１は、主に液晶パネル６を覆い、カメラ使用時に液晶パネル６を保護する。
【００３５】
弾性材２２は、組立工程やカメラ使用時等にカメラ本体の内部に入り込んだゴミ等の異物が液晶パネル６内に進入してくることを防ぐ。シール性を確保するために、弾性材２２は、組み込み状態においては液晶保護窓２１と表示ユニット３０（上側フレーム９）との間に介在し、若干押し潰された状態で配置される。さらに、弾性材２２は、押し潰されることにより反発力が発生し、表示ユニット３０を押さえ付ける役割も果たす。
【００３６】
弾性材２２は、表示ユニット３０の４辺に対して均等な形状となっている。例えば、表示ユニット３０の４辺に沿う矩形の枠型に形成される。それにより、表示ユニット３０に対して偏りなく均等に力が加わる。このように、後カバー２０によって弾性材２２を介して表示ユニット３０がシャーシ４０に押圧される。表示ユニット３０がシャーシ４０に圧接保持されることで、組み立て状態において、液晶パネル６に垂直な方向（カメラの前後方向）における表示ユニット３０のシャーシ４０に対する位置規制と動きの規制がなされる。弾性材２２を介して表示ユニット３０を押圧する外装としては、表示ユニット３０の少なくとも一部分を外側から覆うものであればよい。
【００３７】
本実施の形態によれば、係合片３１と係合穴４１との係合により表示ユニット３０の左端部３０ａが浮き上がらないと共に、位置決め凸部４２と位置決め穴３２ａとの係合により液晶パネル６に平行な平面方向における表示ユニット３０の位置決めがなされる。これらの係合関係は、強固な拘束状態ではないので、表示ユニット３０は、ビス等で固定される構成に比べれば、ストレス（応力）をほとんど受けない。また、ビス等の締結具を用いることなく、係合操作で組み付けることができるので、作業性がよい。よって、表示ユニット３０にストレスを与えることなく組み立て作業性を向上させることができる。
【００３８】
特に、表示ユニット３０のシャーシ４０に対する位置は、ゴムのような柔らかいものを介して規制されるのではなく、係合片３１と係合穴４１との係合関係、及び位置決め凸部４２と位置決め穴３２ａとの係合関係で規定できる。従って、これらの寸法の管理によって精度を確保できるので、組立作業性を低下させることなく高い位置精度で位置決めすることができる。
【００３９】
また、係合片３１と係合穴４１とを係合させた時点で、両者の係合によって、表示ユニット３０とシャーシ４０とはある程度の位置関係が規制されている。そのため、位置決め凸部４２と位置決め穴３２ａとを係合させる際には、表示ユニット３０を適切に（矢印Ｆ２方向に）変位させることが容易であり、作業性がよい。さらに、ＦＰＣ１８は、表示ユニット３０の右端部３０ｂから引き出されているので、係合片３１を係合穴４１に差し込む際にＦＰＣ１８が邪魔にならず、作業性の向上に寄与する。
【００４０】
また、補強板１７の対向面１７ａが、位置決め凸部４２と位置決め穴３２ａとの係合状態の解除を阻止するので、外装の組み付け前におけるシャーシ４０への表示ユニット３０の保持状態を安定して維持することができる。
【００４１】
ところで、表示ユニット３０の左端部３０ａがシャーシ４０から浮き上がることを防止するための係合部と被係合部については、係合片３１と係合穴４１との組み合わせを例示した。また、表示ユニット３０をシャーシ４０に対して液晶パネル６に平行な平面方向における位置決めするための係合部と被係合部については位置決め穴３２ａと位置決め凸部４２との組み合わせを例示した。しかし、図４で説明するように、これらに限るものではない。例えば、爪や突起と穴や凹部との関係（雄雌関係）は、これらとは逆にしてもよい。
【００４２】
図４（ａ）、（ｂ）は、変形例のデジタルカメラの左端部のうち表示ユニット３０とシャーシ４０との係合部分の要部の断面図である。
【００４３】
図４（ａ）に示す変形例では、シャーシ４０（の例えば折り曲げ部４３）に、係合穴４１に代えて、表示ユニット３０の方向に向けて延設片４５を突設する。さらに、表示ユニット３０の例えば上側フレーム９には、係合片３１の代わりに、延設片４５が挿通可能な穴９ａを形成する。組み付けの際には、表示ユニット３０を左方に動かして延設片４５が穴９ａに挿通されるようにする。
【００４４】
図４（ｂ）に示す変形例では、シャーシ４０に延設片４５を突設すると共に、表示ユニット３０の例えば上側フレーム９にも、左方に向けて延設片９ｂを設ける。そして、組み付けの際には、表示ユニット３０を左方に動かして、延設片９ｂを延設片４５の内側（カメラの前側）に潜り込ませる。
【００４５】
図４（ａ）、（ｂ）のような構成によっても、表示ユニット３０の左端部３０ａがシャーシ４０から浮き上がることが防止される。図４（ｂ）に例示したように、浮き上がり防止のためには必ずしも穴や凹部は必須でなく、延設片の重なり関係によって動きを規制できる。
【００４６】
図４（ｃ）は、変形例のデジタルカメラの右端部のうちシャーシ４０及びそれより背面側部分の要部の断面図である。この変形例では、シャーシ４０に、位置決め凸部４２を設ける代わりに凹部４４を設ける。さらに、下側フレーム１０（あるいは延設片３２でもよい）に、位置決め穴３２ａを設ける代わりに、凹部４４に嵌合的な凸部３３をシャーシ４０の側に突設する。そして、凹部４４に凸部３３を嵌合することで、表示ユニット３０をシャーシ４０に対して位置決めすることができる。
【００４７】
ここで、補強板１７の対向面１７ａと下側フレーム１０との間には、クリアランスＣＬ１が形成されるようになっている。対向面１７ａは、液晶パネル６に垂直な方向における、シャーシ４０に対する下側フレーム１０の可動範囲を規制する。クリアランスＣＬ１は、凸部３３の突設高さよりも小さい。従って、液晶パネル６に垂直な方向における凸部３３と凹部４４とのオーバーラップ量よりもクリアランスＣＬ１は小さい。これにより、図２（ｂ）の例と同様に、対向面１７ａが、凸部３３と凹部４４との係合解除を阻止する役割を果たす。
【００４８】
位置決め用の係合部と被係合部との係合が容易に外れないようにする観点からは、それらの関係については、次のように定義できる。すなわち、表示ユニット３０とシャーシ４０のうち、液晶パネル６に垂直な方向において対向面１７ａに近い方と対向面１７ａとの間で形成されるクリアランスＣＬ１が、係合部と被係合部とのオーバーラップ量よりも小さければよい。
【００４９】
なお、浮き上がり防止用、あるいは位置決め用のいずれについても、係合部と被係合部との組の数は、いずれも２組として説明したが、最低でも１組あればよい。
【００５０】
なお、表示ユニット３０は背面視で矩形に限られず、例えば、楕円でもよい。長手方向に両端部に、浮き上がり防止用と位置決め用の係合機構を設けることで、組み立て作業性の向上に大きく寄与する。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述した実施形態においては、本発明をデジタルカメラに適用した場合を例にして説明したが、これはこの例に限定されない。例えば、ＰＤＡ、携帯電話端末や携帯型の画像ビューワ、ディスプレイを備えるプリンタ装置、デジタルフォトフレーム、音楽プレーヤ、ゲーム機、電子ブックリーダ等、各種の電子機器に適用可能である。
【符号の説明】
【００５２】
６  液晶パネル
１７  補強板
３０  表示ユニット
３１  係合片
３２ａ  位置決め穴
４０  シャーシ
４１  係合穴
４２  位置決め凸部
【図１】
2012189953.tif 000003
【図２】
2012189953.tif 000004
【図３】
2012189953.tif 000005
【図４】
2012189953.tif 000006